(57)【特許請求の範囲】
【請求項１】
固定接点と可動接点とを有する真空バルブと、
一端側が前記可動接点に連結された絶縁ロッドと、
投入機能と接圧機能を有し前記絶縁ロッドの他端側に挿入された投入ばねと、
一端側が支持部材に回動自在に支持され、他端側に係合部が形成され、中間部が前記絶縁ロッドの他端側に連結されたレバーと、
長手方向の一部を断面が半月状に切り欠いて形成した切り欠き部を有し、前記支持部材に回動自在に支持され前記長手方向の軸心を中心とした回動により前記レバーの前記係合部に係合・分離可能とした棒状のラッチと、
前記棒状のラッチを軸心回りに回動駆動するソレノイドとを備え、
前記レバーと前記ラッチと前記ソレノイドを組合わせて操作部とし、
前記絶縁ロッドと前記投入ばねと前記操作部とを前記真空バルブの軸線方向に並べて配置するとともに
前記レバーの前記係合部に前記ラッチが係合して開極状態が保持され、前記ソレノイドの励磁により前記係合が解除されることで、前記投入ばねが放勢されて閉極することを特徴とするバイパススイッチ。
【請求項２】
前記レバーの支持部及び前記ラッチは、前記支持部材により両端が支持されていることを特徴とする請求項１に記載のバイパススイッチ。
【請求項３】
前記絶縁ロッドの他端側と前記レバーの前記中間部とは、前記絶縁ロッドの他端側に装着した断面がＵ字状の連結金具が前記レバーを跨ぐ形で連結ピンで連結したことを特徴とする請求項１に記載のバイパススイッチ。
【請求項４】
固定接点と可動接点とを有する真空バルブと、
一端側が前記可動接点に連結された絶縁ロッドと、
投入機能と接圧機能を有し前記絶縁ロッドの他端側に挿入された投入ばねと、
前記絶縁ロッドの他端側に連結され、連結方向に対して直交する方向の側部に係合部を有する連結金具と、
長手方向の一部を断面が半月状に切り欠いて形成した切り欠き部を有し、支持部材に回動自在に支持され前記長手方向の軸心を中心とした回動により前記連結金具の側部の前記係合部に係合・分離可能とした棒状のラッチと、
前記棒状のラッチを軸心回りに回動駆動するソレノイドとを備え、
前記連結金具と前記ラッチと前記ソレノイドを組合わせて操作部とし、
前記絶縁ロッドと前記投入ばねと前記操作部とを前記真空バルブの軸線方向に並べて配置するとともに
前記連結金具の前記係合部に前記ラッチが係合して開極状態が保持され、前記ソレノイドの励磁により前記係合が解除されることで、前記投入ばねが放勢されて閉極する
ことを特徴とするバイパススイッチ。  
【発明の詳細な説明】
【技術分野】
【０００１】
この発明は、パワエレ設備等に使用されるバイパススイッチに関するものである。
【背景技術】
【０００２】
近年、電力分野において再生可能エネルギーの導入が進んでいるが、系統安定化対策のため、ＳＴＡＴＣＯＭ（無効電力補償装置）等のパワエレ設備の導入や増強が行われている。パワエレ設備には電圧変換器が必要であり、電圧変換器内には電流の切替器としてＩＧＢＴ等の半導体が使用される。変換器内にはＩＧＢＴの故障時にダイオードの保護や系統のシステムダウンを防ぐための、バイパススイッチが必要となる。バイパススイッチは、ＩＧＢＴの故障時に、バイパススイッチ自身を短絡投入することによってダイオードの保護や系統のシステムダウンを防ぐものである。そのため、ダイオードが故障に至る前に動作する必要がある。しかし、ダイオードが故障するまでの時間は非常に短いため、バイパススイッチに要求される機能としては、信号を受けてから投入までの時間ができるだけ短いことが重要である。【０００３】
パワエレ設備に使用されるバイパススイッチは、短絡投入の形で高電圧，大電流を通電する必要があるので、スイッチ本体部に真空バルブが採用される場合がある。
従来の真空バルブの操作機構部としては、例えば、真空バルブの可動接点に連結された開閉ロッドと、この開閉ロッドに設けられ、軸方向に可動でき所定の遊びを持って係合する開閉ブロックと、開閉ブロックの移動に応じて変位し且つ開閉ブロックに対して真空バルブの真空自閉力よりも大きな反転荷重を持つ皿状の開閉ばねとを備え、操作レバーで開閉ブロックを軸方向に移動させることで、開閉ばねが開極または閉極方向に作用して開極または閉極する技術が開示されている（例えば、特許文献１参照）。
【先行技術文献】
【特許文献】
【０００４】
【特許文献１】特公昭５９−８９３２号公報（第１−２頁、第１−４図）
【発明の概要】
【発明が解決しようとする課題】
【０００５】
バイパススイッチとして特許文献１のような操作機構を備えた真空バルブを使用した場合、閉極動作において、可動接点に連結した開閉ブロックを駆動機構で直接駆動させているが、操作レバーを開閉ブロックに押し当てて操作を開始してから、皿状の開閉ばねが閉極方向に反転動作し接点が閉じられるまでに時間が掛かるという問題点があった。
また、皿状の開閉ばねではなく、操作ロッドと操作機構部とをリンク機構を介して連結して投入動作を行う方法も広く知られているが、この場合でも、やはり、閉極動作の開始から完了までに、例えば数十ｍｓ程度の時間が掛かっていた。【０００６】
この発明は、上記のような問題を解決するためになされたもので、投入時間の短縮を図ったバイパススイッチを得ることを目的とする。
【課題を解決するための手段】
【０００７】
この発明に係るバイパススイッチは、固定接点と可動接点とを有する真空バルブと、
一端側が前記可動接点に連結された絶縁ロッドと、投入機能と接圧機能を有し前記絶縁ロッドの他端側に挿入された投入ばねと、一端側が支持部材に回動自在に支持され、他端側に係合部が形成され、中間部が前記絶縁ロッドの他端側に連結されたレバーと、長手方向の一部を断面が半月状に切り欠いて形成した切り欠き部を有し、前記支持部材に回動自在に支持され前記長手方向の軸心を中心とした回動により前記レバーの前記係合部に係合・分離可能とした棒状のラッチと、前記棒状のラッチを軸心回りに回動駆動するソレノイドとを備え、前記レバーと前記ラッチと前記ソレノイドを組合わせて操作部とし、前記絶縁ロッドと前記投入ばねと前記操作部とを前記真空バルブの軸線方向に並べて配置するとともに前記レバーの前記係合部に前記ラッチが係合して開極状態が保持され、前記ソレノイドの励磁により前記係合が解除されることで、前記投入ばねが放勢されて閉極するものである。
【発明の効果】
【０００８】
この発明のバイパススイッチによれば、スイッチ本体部を構成する真空バルブの駆動側に、可動接点に連結された絶縁ロッドと、投入機能と接圧機能を有する投入ばねと、開極状態を保持するラッチ機能を有する操作部を備え、これらが真空バルブの軸線方向に並べて配置されているので、投入ばねの力をスムーズに可動接点に伝達でき、ラッチの係合を解除して投入が完了するまでの投入時間の短縮を図ることができる。
また、操作部の構造が簡素化されて、可動部の部品点数が削減されるため、操作部を軽量化でき、更に、組立が容易になるため組立時間を短縮することができる。
【図面の簡単な説明】
【０００９】
【図１】この発明の実施の形態１によるバイパススイッチの開極状態を示す側面図である。
【図２】この発明の実施の形態１によるバイパススイッチの閉極状態を示す側面図である。
【図３】図１のＡ−Ａから見た操作部の断面図である。
【図４】図１のＢ−Ｂから見た操作部の断面図である。
【図５】図１のバイパススイッチの開極動作を説明する説明図である。
【図６】この発明の実施の形態２によるバイパススイッチの側面図である。
【発明を実施するための形態】
【００１０】
実施の形態１．
以下、図に基づいて説明する。図１及び図２は、この発明の実施形態１によるバイパススイッチの側面図であり、図１は開極状態を示し、図２は閉極状態を示している。図１及び図２において左側を便宜上、正面側と呼ぶことにする。
バイパススイッチのスイッチ本体部には、真空バルブを使用している。先ず、図１により全体の構成から説明する。なお、図１及び図２では、内部構造が分かりやすいように、一部切り欠いて断面を表示している。
【００１１】
真空バルブ１は、真空容器内に固定接点２ａと可動接点２ｂが接離可能に配置されており、固定接点２ａは固定側電極棒３ａを介して固定側導体４ａに接続され、可動接点２ｂは可動側電極棒３ｂに接続され、可動側電極棒３ｂの他端は真空容器の外部に引き出されて、絶縁ロッド５に連結されている。また、可動側電極棒３ｂは可撓導体６を介して可動側導体４ｂに接続されている。
絶縁ロッド５の可動側電極棒３ｂに接続される側とは反対側の先端部には、連結金具７が連結されており、連結金具７はレバー８に連結ピン９で結合されている。
【００１２】
固定側導体４ａは上部の横フレーム１０に固定され、横フレーム１０は縦フレーム１１で支持され、縦フレーム１１の下端側はベース１２に固定されている。更に、縦フレーム１１の中間部には中間横フレーム１３が設けられおり、これより下部側が操作部となっている。
絶縁ロッド５の直下において、絶縁ロッド５に、コイル状の投入ばね１４が挿入されて、絶縁ロッド５と中間横フレーム１３との間で、可動接点２ｂを閉極方向に付勢する。
なお、投入ばね１４は、可動接点２ｂを投入方向へ駆動すると共に、接点閉合状態において可動接点２ｂを固定接点２ａ側へ付勢するものである。
【００１３】
図３は、図１のＡ−Ａから見た正面断面図である。また、図４は、図１のＢ−Ｂから見た正面断面図である。図３及び図４も参照しながら、操作部の構成を説明する。
ベース１２には、操作部を支持する支持部材１５がボルトで固定されている。支持部材１５は、図３に示すように、正面側から見てＬ字状をした２つの板状部材からなり、垂直
面を向かい合わせ所定の間隔を空けてベース１２に固定されている。
支持部材１５の正面側から見て奥側に、レバー８の一端側が、レバー固定ピン１６によって回動自在に支持されている。レバー８の手前側には、レバー８の他端側に形成された係合部Ｃ（図１参照）で係合可能なラッチ１７が配置されており、このラッチ１７は支持部材１５に回動自在に設けられている。ラッチ１７は丸棒状の部材からなり、長手方向の一部を切り欠いて、その部分の断面が半月状に形成された、いわゆる半月ラッチであり、半月状の角部が係合部Ｃとなる。このように、ラッチは機械式ラッチである。
絶縁ロッド５の先端側に設けた連結金具７は、レバー８の回動支点となるレバー固定ピン１６と先端側の係止部との中間部において、連結ピン９で結合されている。
【００１４】
ラッチ１７には、ラッチ駆動片１８が、ラッチ１７の軸方向と直交方向に向けて固着されている。そして、図４に示すように、ラッチ１７と支持部材１５との間に、例えばコイルばねからなる復帰ばね１９が設けられており、ラッチ１７は復帰ばね１９により、図１の方向に見て、反時計方向に付勢されている。
また、ラッチ駆動片１８の対向位置に、直動式のソレノイド２０が配置され、このソレノイド２０は、図示を省略しているが、縦フレーム１１側または支持部材１５側に固定されている。ソレノイド２０のコイルを励磁することにより、ラッチ駆動片１８が押圧され、ラッチ１７が図１で時計方向に回動する。
【００１５】
また、図３に示すように、レバー固定ピン１６の一端側（本実施の形態では正面側から見て右側）は、支持部材１５より外側に突出する突出部１６ａを有している。同様に、連結金具７を止める連結ピン９の一端側（突出部１６ａと同じ側）が、支持部材１５より外側に突出した突出部９ａとなっている。突出部９ａが支持部材１５を貫通する部分には、図１に示すように逃し穴が形成されており、突出部９ａの上下の動きが支持部材１５によって規制されないようになっている。両突出部９ａ，１６ａの用途は後述する。
【００１６】
次に、各部の動作について説明する。先ず、真空バルブ１の投入動作から説明する。
図１のような開極状態では、ソレノイド２０は励磁されておらず、ラッチ１７は、復帰ばね１９で付勢されて、反時計方向に回動しており、半月状のラッチ１７とレバー８とは、図１に示すように係合部Ｃで係合し、これによりレバー８は時計方向に回動することができず、開極状態が保持されている。このとき投入ばね１４は蓄勢されている。
ここで、閉極指令によりソレノイド２０を励磁すると、ラッチ駆動片１８が押圧され、ラッチ１７が時計方向に回動する。この動作で、ラッチ１７とレバー８の係合が外れ、投入ばね１４が放勢され、絶縁ロッド５，可動側電極棒３ｂと共に可動接点２ｂが固定接点２ａ側に瞬時に移動し、固定接点２ａと接触して移動が止まり、図２のような閉極状態となる。閉極状態でも、投入ばね１４は自然長より収縮された状態に設定されているので、閉極状態において、両接点２ａ，２ｂは一定の接圧荷重で接触している。また、ソレノイド２０の励磁を解除してもその接触状態が保たれている。
【００１７】
次に、開極動作について説明する。
図５は、開極動作を説明する説明図である。開極動作は操作ハンドル２１を用いて手動により行う。図５のように、操作ハンドル２１の一端に設けた穴をレバー固定ピン１６の突出部１６ａに嵌め合わせ、操作ハンドル２１の側面に形成した係合凹部を連結ピン９の突出部９ａに係合させて、投入ばね１４の付勢力以上の力で操作ハンドル２１の他端側を太矢印方向に押し下げれば、連結ピン９が下方に移動し、連動して絶縁ロッド５が下方に移動し、接圧荷重が解かれて開極が始まる。更に押し下げて、レバー８の係合部がラッチ１７を越えて下方に移動して干渉が外れると、復帰ばね１９によりラッチ１７が反時計方向に回動して、ラッチ１７とレバー８とが係合部Ｃで係合可能となり図１のような状態になる。
【００１８】
このように、絶縁ロッド５の直下に配置した投入ばね１４を、その下方に配置した操作部を操作して放勢する構造としたので、投入動作の開始後、高速で動作することが可能となり、投入時間を短縮することができる。また、リンクを用いるものや、特許文献１のような皿ばねを用いるものと比較して、構造が簡素化され、軽量化が図られる。
また、ラッチに半月ラッチを採用したことで、ラッチの僅かな回動で係合部の係合と解除が可能となり、投入動作の高速化に寄与できる。
【００１９】
以上のように、実施の形態１のバイパススイッチによれば、固定接点と可動接点とを有する真空バルブが用いられたバイパススイッチであって、一端側が可動接点に連結された絶縁ロッドと、投入機能と接圧機能を有し、絶縁ロッドの他端側に挿入された投入ばねと、開極状態を保持するラッチ機能を有し、絶縁ロッドの他端側に連結された操作部とを備え、絶縁ロッドと投入ばねと操作部とが、真空バルブの軸線方向に並べて配置されているので、投入ばねの力をスムーズに可動接点に伝達でき、ラッチの係合を解除して投入が完了するまでの投入時間の短縮を図ることができる。
また、操作部の構造が簡素化されて、可動部の部品点数が削減されるため、操作部を軽量化でき、更に、組立が容易になるため組立時間を短縮することができる。
【００２０】
また、操作部は、一端側が支持部材に回動自在に支持され、他端側に係合部が形成され、中間部が絶縁ロッドの他端側に連結されたレバーと、レバーの係合部に係合可能なラッチと、ラッチを駆動するソレノイドとを備え、レバーの係合部にラッチが係合して開極状態が保持され、ソレノイドの励磁により係合が解除されることで、投入ばねが放勢されて閉極されるようにしたので、簡単な構成で、開極状態の保持と、素早い閉極動作を行うことができる。
【００２１】
実施の形態２
図６は、実施の形態２によるバイパススイッチの側面図である。実施の形態１の図１と同等部分は同一符号を付して説明は省略し、相違部分を中心に説明する。相違点は、投入ばね１４より下部の、操作部の構造である。なお、図６では、内部構造が分かりやすいように、一部切り欠いて断面を表示している。
【００２２】
図６に示すように、操作部の構造において、図１のレバー８をなくし、絶縁ロッド５の先端部に設けられた連結金具７に、直接、ラッチ１７と係合可能な係合部を設けたものである。
ラッチ１７の形状と、それに固着されたラッチ駆動片１８の形状は、実施の形態１と同様である。このラッチ１７を、回動位置によっては連結金具７の係合部に係合可能な位置に配置し、支持部材１５に回動可能に取り付けている。ラッチ駆動片１８を押圧するソレノイド２０は、支持部材１５側に固定されている。
【００２３】
図６は開極状態であり、ラッチ１７は復帰ばね１９により反時計方向に回動して、係合部Ｃで係合し開極状態が保たれている。この状態から、閉極指令を受けてソレノイド２０が励磁されると、ラッチ駆動片１８が押圧されてラッチ１７が時計方向に回動し、係合が外れ、投入ばね１４が放勢されて接点が閉極状態となる。開極動作は、実施の形態１と同様に、操作ハンドル２１による。
このような構成により、連結金具７に直接ラッチ１７を係合させることで、実施の形態１と比較して、レバー８がなくなり、可動部の小型化と軽量化を図ることができ、更に、投入時間の短縮が可能である。
【００２４】
なお、図６では、ラッチ１７及びソレノイド２０を連結金具７の片側にのみ配置しているが、同様なものを両側に配置してもよい。そうすれば、中心軸に対して力が均等に作用し、より安定した動作が得られる。
【００２５】
以上のように、実施の形態２のバイパススイッチによれば、操作部は、絶縁ロッドの他端側に連結された連結金具の係合部に係合可能なラッチと、ラッチを駆動するソレノイドとを備え、連結金具の係合部にラッチが係合して開極状態が保持され、ソレノイドの励磁により係合が解除されることで、投入ばねが放勢されて閉極されるようにしたので、操作部の構造が簡単になり、可動部の小型化と軽量化を図ることができる。
【００２６】
なお、本願発明は、その発明の範囲内において、各実施の形態を自由に組み合わせたり、各実施の形態を適宜、変更、省略したりすることが可能である。
【符号の説明】
【００２７】
１  真空バルブ、２ａ  固定接点、２ｂ  可動接点、
３ａ  固定側電極棒、３ｂ  可動側電極棒、４ａ  固定側導体、
４ｂ  可動側導体、５  絶縁ロッド、６  可撓導体、７  連結金具、
８  レバー、９  連結ピン、９ａ  突出部、１０  横フレーム、
１１  縦フレーム、１２  ベース、１３  中間横フレーム、
１４  投入ばね、１５  支持部材、１６  レバー固定ピン、
１６ａ  突出部、１７  ラッチ、１８  ラッチ駆動片、
１９  復帰ばね、２０  ソレノイド、２１  操作ハンドル。
【要約】
投入時間の短縮を図ったバイパススイッチを得る。固定接点（２ａ）と可動接点（２ｂ）とを有する真空バルブ（１）が用いられたバイパススイッチであって、一端側が可動接点（２ｂ）に連結された絶縁ロッド（５）と、絶縁ロッド（５）の他端側に挿入されて、接点を閉じる投入機能と接点に圧力を加える接圧機能を有する投入ばね（１４）と、開極状態を保持するラッチ機能を有し、絶縁ロッド（５）の他端側に連結された操作部とを備え、絶縁ロッド（５）と投入ばね（１４）と操作部とを、真空バルブ（１）の軸線方向に並べて配置した。【図１】
0005791847.tif 000002
【図２】
0005791847.tif 000003
【図３】
0005791847.tif 000004
【図４】
0005791847.tif 000005
【図５】
0005791847.tif 000006
【図６】
0005791847.tif 000007